(57)【特許請求の範囲】
【請求項１】
縁無し印刷に対応した現像剤像を形成する現像剤像形成手段と、
前記現像剤像形成手段で形成された現像剤像を記録媒体に転写させる転写部材と、
前記転写部材で転写された現像剤像を記録媒体に定着する定着手段と、
現像剤像が転写済の記録媒体を前記定着手段へ搬送する搬送手段であって、前記転写部材と前記定着手段との間の記録媒体の搬送路を構成するハウジングに移動可能に設けられ記録媒体を搬送する搬送部材と、前記ハウジングの壁部から板状に突出され、搬送される記録媒体の搬送方向と交差する幅方向における縁の位置に対して該板状の側面の位置が前記記録媒体の搬送方向と交差する幅方向内側かつ前記記録媒体を搬送時に許容される前記記録媒体の幅方向のずれ許容量よりも長い寸法でずれており、記録媒体の現像剤像が転写された転写面とは反対側の面と接触して前記壁部から記録媒体を遠ざける接触部とを備えた搬送手段と、
を有する画像形成装置。
【請求項２】
前記接触部は、前記搬送方向の上流側の端部に、該上流側へ向けて高さが減少する切欠き部又は湾曲部が形成されている請求項１に記載の画像形成装置。
【請求項３】
前記接触部は、前記幅方向の両端部が中央部よりも低くなっている請求項１又は請求項２に記載の画像形成装置。
【請求項４】
前記壁部には、前記接触部の突出方向に貫通した貫通孔が形成され、
前記壁部の前記接触部とは反対側には、前記貫通孔から落下した現像剤が回収される回収部が設けられている請求項１から請求項３のいずれか１項に記載の画像形成装置。
【請求項５】
前記回収部には、前記貫通孔を通して現像剤を前記回収部内へ吸引する吸引手段が設けられている請求項４に記載の画像形成装置。
【請求項６】
前記壁部には、導電性を有する導電部材が取付けられ、
前記導電部材には、現像剤の極性とは逆の極性の電圧を印加する電圧印加手段が接続されている請求項１から請求項５のいずれか１項に記載の画像形成装置。
【請求項７】
前記壁部には、導電性を有し接地された接地部材が取付けられている請求項１から請求項５のいずれか１項に記載の画像形成装置。
【請求項８】
縁無し印刷に対応した現像剤像を形成する現像剤像形成手段と、
前記現像剤像形成手段で形成された現像剤像を記録媒体に転写させる転写部材と、
前記転写部材で転写された現像剤像を記録媒体に定着する定着手段と、
現像剤像が転写済の記録媒体を前記定着手段へ搬送する搬送手段であって、前記転写部材と前記定着手段との間の記録媒体の搬送路を構成するハウジングに移動可能に設けられ記録媒体を搬送する搬送部材と、前記ハウジングの壁部から板状に突出され、該板状の長手方向が記録媒体の搬送方向と交差し、搬送される記録媒体の搬送方向と交差する幅方向における縁の位置に対して該板状の搬送方向上流側の先端における側面の位置が前記記録媒体の搬送方向と交差する幅方向内側かつ前記記録媒体を搬送時に許容される前記記録媒体の幅方向のずれ許容量よりも長い寸法でずれており、記録媒体の現像剤像が転写された転写面とは反対側の面と接触して前記壁部から記録媒体を遠ざける接触部とを備えた搬送手段と、
を有する画像形成装置。
【発明の詳細な説明】
【技術分野】
【０００１】
本発明は、画像形成装置に関する。
【背景技術】
【０００２】
特許文献１の画像形成装置は、用紙の周縁部にマージンをとって画像を形成する縁あり印刷モードと、用紙の周縁部のマージンをなくして画像を形成する縁なし印刷モードとを選択して画像形成できるように構成している。縁なし印刷モードでは、ＣＰＵの制御によって、用紙の周縁部からはみ出すような走査領域において、感光ベルトに静電潜像が形成されるようにスキャナユニットを駆動させる。これにより、転写時には、中間転写ベルトにおいて重ね合わされたカラー像が用紙の周縁部からはみ出すように転写される。
【０００３】
特許文献２のインクジェット記録装置は、被記録用紙を案内支持するプラテンリブ列を記録ヘッドのインク吐出ノズル列長さ内で並列に設けている。
【０００４】
特許文献３の画像形成装置は、二次転写装置と定着装置との間にベルト搬送装置が設けられている。ベルト搬送装置は、無端ベルトと、無端ベルトの内側からエアを吸引するファンとを備えている。また、無端ベルトの上方及びその用紙搬送方向の上流側には、二次転写装置から排出される用紙の挙動を検出するための第１のセンサ、第２のセンサが設けられている。そして、第１のセンサ、第２のセンサによって用紙の浮きが検出された場合には、ファンによる吸引量を増加させ、用紙を無端ベルトに吸着させやすくしている。
【先行技術文献】
【特許文献】
【０００５】
【特許文献１】特開２００４−０４５４５７号公報
【特許文献２】特開２００２−１９２７１３号公報
【特許文献３】特開２００６−１７６２６５号公報
【発明の概要】
【発明が解決しようとする課題】
【０００６】
本発明は、縁無し印刷において、現像剤像が転写された記録媒体の転写面とは反対側の面に現像剤が付着することが抑制される画像形成装置を得ることを目的とする。
【課題を解決するための手段】
【０００７】
本発明の請求項１に係る画像形成装置は、縁無し印刷に対応した現像剤像を形成する現像剤像形成手段と、前記現像剤像形成手段で形成された現像剤像を記録媒体に転写させる転写部材と、前記転写部材で転写された現像剤像を記録媒体に定着する定着手段と、現像剤像が転写済の記録媒体を前記定着手段へ搬送する搬送手段であって、前記転写部材と前記定着手段との間の記録媒体の搬送路を構成するハウジングに移動可能に設けられ記録媒体を搬送する搬送部材と、前記ハウジングの壁部から板状に突出され、搬送される記録媒体の搬送方向と交差する幅方向における縁の位置に対して該板状の側面の位置が前記記録媒体の搬送方向と交差する幅方向内側かつ前記記録媒体を搬送時に許容される前記記録媒体の幅方向のずれ許容量よりも長い寸法でずれており、記録媒体の現像剤像が転写された転写面とは反対側の面と接触して前記壁部から記録媒体を遠ざける接触部とを備えた搬送手段と、を有する。
【０００８】
本発明の請求項２に係る画像形成装置は、前記接触部は、前記搬送方向の上流側の端部に、該上流側へ向けて高さが減少する切欠き部又は湾曲部が形成されている。
【０００９】
本発明の請求項３に係る画像形成装置は、前記接触部は、前記幅方向の両端部が中央部よりも低くなっている。
【００１０】
本発明の請求項４に係る画像形成装置は、前記壁部には、前記接触部の突出方向に貫通した貫通孔が形成され、前記壁部の前記接触部とは反対側には、前記貫通孔から落下した現像剤が回収される回収部が設けられている。
【００１１】
本発明の請求項５に係る画像形成装置は、前記回収部には、前記貫通孔を通して現像剤を前記回収部内へ吸引する吸引手段が設けられている。
【００１２】
本発明の請求項６に係る画像形成装置は、前記壁部には、導電性を有する導電部材が取付けられ、前記導電部材には、現像剤の極性とは逆の極性の電圧を印加する電圧印加手段が接続されている。
【００１３】
本発明の請求項７に係る画像形成装置は、前記壁部には、導電性を有し接地された接地部材が取付けられている。
【００１４】
本発明の請求項８に係る画像形成装置は、縁無し印刷に対応した現像剤像を形成する現像剤像形成手段と、前記現像剤像形成手段で形成された現像剤像を記録媒体に転写させる転写部材と、前記転写部材で転写された現像剤像を記録媒体に定着する定着手段と、現像剤像が転写済の記録媒体を前記定着手段へ搬送する搬送手段であって、前記転写部材と前記定着手段との間の記録媒体の搬送路を構成するハウジングに移動可能に設けられ記録媒体を搬送する搬送部材と、前記ハウジングの壁部から板状に突出され、該板状の長手方向が記録媒体の搬送方向と交差し、搬送される記録媒体の搬送方向と交差する幅方向における縁の位置に対して該板状の搬送方向上流側の先端における側面の位置が前記記録媒体の搬送方向と交差する幅方向内側かつ前記記録媒体を搬送時に許容される前記記録媒体の幅方向のずれ許容量よりも長い寸法でずれており、記録媒体の現像剤像が転写された転写面とは反対側の面と接触して前記壁部から記録媒体を遠ざける接触部とを備えた搬送手段と、を有する。
【発明の効果】
【００１５】
請求項１の発明は、接触部の側面の位置と、搬送される記録媒体の搬送方向と交差する幅方向の縁の位置とが一致している構成に比べて、縁無し印刷において、現像剤像が転写された記録媒体の転写面とは反対側の面に現像剤が付着することが抑制される。
【００１６】
請求項２の発明は、記録媒体の搬送方向で接触部の高さが同じ構成に比べて、搬送中の記録媒体の先端が接触部に引っ掛かるのを抑制することができる。
【００１７】
請求項３の発明は、記録媒体の搬送方向と交差する幅方向で高さが同じになっている接触部を有する構成に比べて、接触部の上面に現像剤が溜まるのを抑制することができる。
【００１８】
請求項４の発明は、接触部の突出方向に貫通した貫通孔が壁部に形成されていない構成に比べて、壁部への現像剤の堆積を抑制することができる。
【００１９】
請求項５の発明は、壁部の現像剤を吸引する吸引手段を設けていない構成に比べて、壁部への現像剤の堆積を抑制することができる。
【００２０】
請求項６の発明は、現像剤の極性とは逆の極性の電圧を壁部に印加しない構成に比べて、浮遊している現像剤を壁部側へ引き付けることができる。
【００２１】
請求項７の発明は、壁部を接地していない構成に比べて、壁部への現像剤の固着を抑制することができる。
【００２２】
請求項８の発明は、接触部の側面の位置と、搬送される記録媒体の搬送方向と交差する幅方向の縁の位置とが一致している構成に比べて、縁無し印刷において、現像剤像が転写された記録媒体の転写面とは反対側の面に現像剤が付着することが抑制される。
【図面の簡単な説明】
【００２３】
【図１】本発明の第１実施形態に係る画像形成装置の全体構成図である。
【図２】本発明の第１実施形態に係る搬送ユニットの構成図である。
【図３】（Ａ）本発明の第１実施形態に係る搬送ユニットのハウジングの平面図である。（Ｂ）本発明の第１実施形態に係るファンによるハウジング内の吸引状態を示す模式図である。
【図４】本発明の第１実施形態に係るリブの配置を示す説明図である。
【図５】（Ａ）、（Ｂ）本発明の第１実施形態に係るリブの斜視図及び断面図である。
【図６】（Ａ）本発明の第１実施形態に係るリブの搬送方向に沿った断面図である。（Ｂ）本発明の第１実施形態に係るリブの他の実施例の搬送方向に沿った断面図である。
【図７】本発明の第１実施形態に係る画像形成装置の縁無し印刷の説明図である。
【図８】本発明の第１実施形態に係る搬送ユニットで記録用紙Ｐを搬送する状態を示す説明図である。
【図９】（Ａ）、（Ｂ）第１比較例のリブの作用を示す説明図である。
【図１０】（Ａ）、（Ｂ）本発明の第１実施形態に係るリブによる記録用紙Ｐの落下防止作用を示す説明図である。
【図１１】（Ａ）第２比較例のリブの作用を示す説明図である。（Ｂ）本発明の第１実施形態に係るリブによるトナー落下作用を示す説明図である。
【図１２】（Ａ）第３比較例のリブの作用を示す説明図である。（Ｂ）本発明の第１実施形態に係るリブによる記録用紙Ｐの引っ掛かり防止作用を示す説明図である。
【図１３】（Ａ）、（Ｂ）本発明の第１実施形態に係る搬送ユニットにおけるトナーの吸引状態を示す平面図及び断面図である。
【図１４】（Ａ）本発明の第２実施形態に係る搬送ユニットの構成図である。（Ｂ）本発明の第２実施形態に係るリブの配置を示す模式図である。
【図１５】本発明の第２実施形態におけるリブとの接触後の記録用紙Ｐの帯電状態を示す模式図である。
【図１６】本発明の第１実施形態に係る搬送ユニットの他の実施例を示す構成図である。
【発明を実施するための形態】
【００２４】
（第１実施形態）
本発明の第１実施形態に係る画像形成装置の一例について説明する。
【００２５】
図１には、第１実施形態の一例としての画像形成装置１０が示されている。画像形成装置１０は、装置本体としての筐体１２を有している。そして、筐体１２内には、現像剤像（トナー画像）を形成する現像剤像形成手段の一例としての画像形成部２０と、画像形成部２０で形成されたトナー画像を記録用紙Ｐ（記録媒体の一例）に転写させる転写部材の一例としての二次転写ロール５０と、二次転写ロール５０で転写されたトナー画像を記録用紙Ｐに定着する定着手段の一例としての定着部６０と、トナー画像が転写済の記録用紙Ｐを定着部６０へ搬送する搬送手段の一例としての搬送ユニット１００と、後述する上壁１０３（図１０（Ａ）参照）に形成され記録用紙Ｐと接触する接触部の一例としてのリブ１２０（図２参照）と、が設けられている。
【００２６】
画像形成部２０は、一例として、Ｋ（ブラック）、Ｃ（シアン）、Ｍ（マゼンタ）、Ｙ（イエロー）の各色のトナー画像が形成される複数の画像形成ユニット３０Ｋ、３０Ｃ、３０Ｍ、３０Ｙと、矢印Ａ方向（図示の反時計回り方向）に周回移動すると共に画像形成ユニット３０Ｋ、３０Ｃ、３０Ｍ、３０Ｙで形成された各色のトナー画像が順次、一次転写される筒状の中間転写ベルト４４と、各色のトナー画像を中間転写ベルト４４に一次転写する一次転写ロール４２Ｋ、４２Ｃ、４２Ｍ、４２Ｙと、画像形成装置１０の各部を制御する主制御部１８と、を含んで構成されている。
【００２７】
画像形成ユニット３０Ｋは、円筒状で矢印Ｒ方向（図示の時計回り方向）に回転すると共に外周面に現像剤像（トナー画像）を保持する感光体３２Ｋと、感光体３２Ｋの表面（外周面）を帯電する帯電ロール３３Ｋと、帯電された感光体３２Ｋの外周面をＫ色（ブラック色）の画像情報に基づいて変調された露光光Ｌにより露光し、感光体３２Ｋ上に静電潜像を形成する露光装置３４Ｋと、Ｋ色のトナーを保持する現像ロール３５Ｋを有し感光体３２Ｋ上に形成された静電潜像をＫ色トナーで現像してトナー画像（Ｋ色）を形成する現像器３６Ｋと、一次転写後の感光体３２Ｋの表面を清掃するクリーニングユニット３８Ｋと、を含んで構成されている。なお、感光体３２Ｋの外周面と対向する位置には、トナー画像の一次転写後において感光体３２Ｋの表面の残留電荷を除去する除電器が設けられているが、この除電器の図示は省略している。
【００２８】
ここで、画像形成ユニット３０Ｃ、３０Ｍ、３０Ｙは、画像形成ユニット３０Ｋとトナーの色が異なるだけで構成は同じである。このため、画像形成ユニット３０Ｃ、３０Ｍ、３０Ｙを構成する各部材の符号の末尾にトナー色を表す添字Ｃ（シアン）、Ｍ（マゼンタ）、Ｙ（イエロー）を付与して画像形成ユニット３０Ｋと区別し、各部材の説明は省略する。なお、以後の説明では、トナー色（Ｋ、Ｃ、Ｍ、Ｙ）毎の区別が不要のとき、添字Ｋ、Ｃ、Ｍ、Ｙを省略した符号で画像形成ユニット３０の各部材を説明する場合がある。
【００２９】
筐体１２内で画像形成ユニット３０Ｋ、３０Ｃ、３０Ｍよりも上側には、ブラック（Ｋ）、シアン（Ｃ）、マゼンタ（Ｍ）、イエロー（Ｙ）の各トナーを収容するトナーカートリッジ１９Ｋ、１９Ｃ、１９Ｍ、１９Ｙが交換可能に設けられている。そして、トナーカートリッジ１９Ｋ、１９Ｃ、１９Ｍ、１９Ｙは、トナー色に合わせて現像器３６Ｋ、３６Ｃ、３６Ｍ、３６Ｙに接続されており、各色のトナーを現像器３６Ｋ、３６Ｃ、３６Ｍ、３６Ｙに送り込むようになっている。
【００３０】
中間転写ベルト４４は、一例として、ポリイミド樹脂を主成分としており、円筒状に形成されている。また、中間転写ベルト４４の内側には、矢印Ａ方向の上流側から下流側へ向けて、中間転写ベルト４４を移動させる駆動ロール４５と、一次転写ロール４２Ｙ、４２Ｍ、４２Ｃ、４２Ｋと、中間転写ベルト４４に張力を付与する張力付与ロール４６と、中間転写ベルト４４を内側から支持する複数の支持ロール４７と、中間転写ベルト４４の二次転写位置の内側に配置され二次転写ロール５０（後述する）の対向電極となるバックアップロール４８とが、それぞれ図示の反時計回り方向に回転可能に設けられている。さらに、バックアップロール４８には、トナーの帯電極性（一例としてマイナス極性）と同極性の二次転写バイアスをバックアップロール４８に印加する給電ロール４９が接触している。
【００３１】
そして、中間転写ベルト４４は、駆動ロール４５、一次転写ロール４２Ｋ、４２Ｃ、４２Ｍ、４２Ｙ、張力付与ロール４６、複数の支持ロール４７、及びバックアップロール４８に巻き掛けられて支持されており、駆動ロール４５が駆動手段（図示省略）によって回転駆動されることで、矢印Ａ方向に周回移動するようになっている。
【００３２】
一次転写ロール４２Ｋ、４２Ｃ、４２Ｍ、４２Ｙは、ベアリング（図示省略）により両端部が回転可能に支持され、外周面が中間転写ベルト４４の内周面と接触している。また、一次転写ロール４２Ｋ、４２Ｃ、４２Ｍ、４２Ｙは、中間転写ベルト４４に転写されるトナー画像の極性とは逆の極性（プラス極性）の電圧が芯金（図示省略）に印加されている。ここで、各感光体３２が接地されているため、各感光体３２の電位と各一次転写ロール４２の電位との間には、電位差が生じている。そして、この電位差で形成される電界の作用によって、感光体３２の外周面に保持されているトナー画像が中間転写ベルト４４に一次転写される。
【００３３】
また、中間転写ベルト４４の外側には、中間転写ベルト４４と接触して表面をクリーニングするベルトクリーナ４３が設けられている。さらに、中間転写ベルト４４を挟んでバックアップロール４８側とは反対側には、中間転写ベルト４４上のトナー画像を記録用紙Ｐに転写する二次転写ロール５０が設けられている。
【００３４】
二次転写ロール５０は、円柱状の芯金（図示省略）の周囲に発泡弾性層を被覆した構成となっている。そして、この芯金は接地されており、二次転写ロール５０とバックアップロール４８との間に電位差が生じている。この電位差により、中間転写ベルト４４上のトナー画像が、二次転写位置で記録用紙Ｐに転写されるようになっている。
【００３５】
主制御部１８は、記録用紙Ｐに形成する画像のデータを含む印刷データが、入出力部（図示省略）を介して入力されるようになっている。そして、この印刷データは、主制御部１８において各色（Ｋ、Ｃ、Ｍ、Ｙ）の画像情報に分解された後に露光装置３４Ｋ、３４Ｃ、３４Ｍ、３４Ｙに出力され、露光光Ｌが出力されるようになっている。なお、画像形成装置１０に設けられた各部、各装置、及び各ユニットは、主制御部１８に電気的に接続されている。また、主制御部１８は、記録用紙Ｐ全面に画像形成される縁無し印刷モードと、記録用紙Ｐの縁部に余白領域を設けて、この余白領域よりも内側の領域で画像形成を行う縁有り印刷モードとを有している。
【００３６】
一方、筐体１２内の下部で中間転写ベルト４４よりも下側には、記録用紙Ｐを収納する箱状の収納部２１が設けられている。収納部２１には、記録用紙Ｐを１枚ずつ送り出す送出ロール２１Ａが回転可能に設けられている。また、筐体１２内には、送出ロール２１Ａから二次転写ロール５０を経由して定着部６０へ記録用紙Ｐを搬送する搬送路の一例としての用紙搬送路２２と、用紙搬送路２２の終端で上方へ分岐された用紙排出路２４と、用紙搬送路２２の終端で下方へ分岐された両面搬送路２６と、が設けられている。
【００３７】
用紙搬送路２２は、記録用紙Ｐの搬送方向で二次転写位置よりも上流側に複数の搬送ロール２３と位置合せロール２５が設けられており、二次転写位置よりも下流側に搬送ユニット１００と定着部６０が設けられている。搬送ロール２３は、互いに外周面が接触した２本のロールで構成されている。位置合せロール２５は、互いに外周面が接触した２本のロールで構成されており、一方のロールの駆動が主制御部１８で制御されることにより、予め設定されたタイミング（中間転写ベルト４４上のトナー画像が二次転写位置に到達するタイミング）に合わせて、記録用紙Ｐを二次転写位置へ送り込むようになっている。
【００３８】
また、用紙搬送路２２の終端で用紙排出路２４と両面搬送路２６との分岐位置には、三角柱状の切替ゲート２７が設けられている。切替ゲート２７は、先端部分（鋭角部分）を用紙搬送路２２側に向けて回転可能に設けられており、先端部分を下方側へ移動させることにより記録用紙Ｐを用紙排出路２４へ案内し、先端部分を上方側へ移動させることにより記録用紙Ｐを両面搬送路２６へ案内するようになっている。
【００３９】
用紙排出路２４は、複数の搬送ロール２３が設けられている。そして、用紙排出路２４では、複数の搬送ロール２３が駆動手段（図示省略）によって回転駆動されることで記録用紙Ｐが上方へ搬送され、筐体１２の上部に形成された排出口１２Ａから筐体１２の上面に記録用紙Ｐが排出されるようになっている。
【００４０】
両面搬送路２６は、表面と裏面が反転される前の記録用紙Ｐが送り込まれる反転前搬送路２６Ａと、反転前搬送路２６Ａで先端と後端が入れ替えられた後の記録用紙Ｐが送り込まれる反転後搬送路２６Ｂとで構成されている。また、反転前搬送路２６Ａと反転後搬送路２６Ｂとの分岐位置には、三角柱状の切替ゲート２９が設けられている。切替ゲート２９は、先端部分（鋭角部分）を反転後搬送路２６Ｂ側に向けて回転可能に設けられており、先端部分を下方側へ移動させることにより記録用紙Ｐを反転前搬送路２６Ａの終端側へ案内し、先端部分を上方側へ移動させることにより記録用紙Ｐを反転前搬送路２６Ａから反転後搬送路２６Ｂへ案内するようになっている。
【００４１】
反転前搬送路２６Ａには、複数の搬送ロール２３と、スイッチバックロール２８とが設けられている。スイッチバックロール２８は、切替ゲート２９が下方側へ向けられているとき、回転して記録用紙Ｐを反転前搬送路２６Ａの終端側へ送り込む。そして、スイッチバックロール２８は、記録用紙Ｐの後端が切替ゲート２９を通過して切替ゲート２９が上方側へ向けられているとき、逆回転して記録用紙Ｐの後端を反転後搬送路２６Ｂへ送り込む。
【００４２】
反転後搬送路２６Ｂには、複数の搬送ロール２３が設けられている。また、反転後搬送路２６Ｂの終端は、用紙搬送路２２の位置合せロール２５よりも上流側に接続されている。これにより、表面にトナー画像が転写及び定着された記録用紙Ｐは、両面搬送路２６で表面と裏面が反転されると共に位置合せロール２５により二次転写位置へ送り込まれ、裏面にトナー画像が転写及び定着されるようになっている。
【００４３】
一方、定着部６０は、記録用紙Ｐのトナー画像面側に配置され内部に熱源（一例としてハロゲンヒータ）を有する定着ロール６２と、定着ロール６２に向けて記録用紙Ｐを加圧する加圧ロール６４と、を有している。そして、記録用紙Ｐが定着ロール６２と加圧ロール６４との接触部（ニップ部）に進入して加熱及び加圧されることで、トナー画像が記録用紙Ｐに定着される。
【００４４】
次に、搬送ユニット１００について説明する。
【００４５】
図２に示すように、搬送ユニット１００は、本体となる中空のハウジング１０２と、ハウジング１０２に回転可能に設けられた２本の搬送ロール１０４、１０５と、搬送ロール１０４、１０５に巻き掛けられた無端状の搬送ベルト１０６と、ハウジング１０２の上壁１０３（図８参照）の外側に直立して設けられた接触部の一例としての複数のリブ１２０と、複数のリブ１２０の間の上壁１０３に取り付けられた導電部材の一例としての複数の電極材１０８と、電極材１０８に電圧を印加する電圧印加手段の一例としての電圧印加部１１０と、ハウジング１０２内の空気を排気する動作（吸引動作）を行うファン１１２を備えた吸引手段の一例としての吸引ユニット１１４と、を含んで構成されている。また、上壁１０３は、二次転写ロール５０と定着部６０（図１参照）との間で用紙搬送路２２（図１参照）を構成する壁部の一例である。
【００４６】
なお、以後は、記録用紙Ｐの搬送方向をＸ方向（矢印Ｘで図示）、Ｘ方向と直交する方向で且つ二次転写ロール５０の軸方向に平行な記録用紙Ｐの幅方向をＹ方向（矢印Ｙで図示）、Ｘ方向及びＹ方向と直交し画像形成装置１０（図１参照）の上方向となる方向をＺ方向（矢印Ｚで図示）として説明する。また、Ｙ方向は、画像形成装置１０（図１参照）の正面視で奥行き方向に相当する。
【００４７】
図３（Ａ）、（Ｂ）に示すように、ハウジング１０２は、Ｙ方向を長手方向とする直方体状に形成されており、Ｙ方向の中央で搬送ロール１０４、１０５が設けられた中央部１０２Ｂと、中央部１０２Ｂに対してＹ方向の手前側で複数のリブ１２０が設けられた手前側部１０２Ａと、中央部１０２Ｂに対してＹ方向の奥側で複数のリブ１２０が設けられた奥側部１０２Ｃと、奥側部１０２Ｃ側で吸引ユニット１１４が取り付けられたダクト部１０２Ｄと、を含んで構成されている。なお、ダクト部１０２Ｄ内にはトナーの移動を規制するフィルタ部材（図示省略）が設けられており、吸引ユニット１１４へのトナーの進入を防いでいる。
【００４８】
また、ハウジング１０２は、上壁１０３のリブ１２０とは反対側（中空の内側）に、後述する貫通孔１１６から進入したトナーが回収される回収部１０２Ｅが形成されている。
【００４９】
回収部１０２Ｅは、手前側部１０２Ａの内部、中央部１０２Ｂの内部、奥側部１０２Ｃの内部、及びダクト部１０２Ｄの内部が繋がって１つになった回収室である。また、回収部１０２Ｅは、Ｙ方向の一方（図示の左端）に側壁１０２Ｆが設けられており、Ｙ方向の他方（図示の右端）の側壁１０２Ｇに開口部１０２Ｈが形成されている。即ち、回収部１０２Ｅは、開口部１０２Ｈがダクト部１０２Ｄ及び吸引ユニット１１４を介して外部と繋がっている。そして、吸引ユニット１１４が吸気を行ったとき、回収部１０２Ｅ内の空気が、ダクト部１０２Ｄの排気口１０２Ｋから排気されるようになっている。
【００５０】
手前側部１０２Ａは、Ｚ方向の上側に位置する前述の上壁１０３に複数の円形の貫通孔１１６が形成されている。貫通孔１１６は、上壁１０３をＺ方向（リブ１２０の突出方向）に貫通しており、ハウジング１０２の外部と回収部１０２Ｅとの空気の流通が可能となる大きさとなっている。また、複数の貫通孔１１６は、Ｙ方向におけるリブ１２０とは異なる位置で、Ｘ方向に間隔をあけて複数（一例として４箇所）形成されている。
【００５１】
奥側部１０２Ｃは、手前側部１０２Ａと同様に、Ｚ方向の上側に位置する上壁１０３に複数の円形の貫通孔１１６が形成されている。貫通孔１１６は、上壁１０３をＺ方向に貫通しており、ハウジング１０２の外部と回収部１０２Ｅとの空気の流通が可能となる大きさとなっている。また、複数の貫通孔１１６は、Ｙ方向におけるリブ１２０とは異なる位置で、Ｘ方向に間隔をあけて複数（一例として４箇所）形成されている。
【００５２】
中央部１０２Ｂは、リブ１２０が設けられておらず、Ｚ方向の上側に位置する上壁１０３に複数の円形の貫通孔１１８が形成されている。貫通孔１１８は、上壁１０３をＺ方向に貫通しており、ハウジング１０２の外部と回収部１０２Ｅとの空気の流通が可能となる大きさとなっている。また、複数の貫通孔１１８は、Ｘ方向及びＹ方向に間隔をあけて複数（一例として、Ｙ方向に１２列でＸ方向に７箇所の合計８４箇所）形成されている。なお、本実施形態では一例として、貫通孔１１８の大きさが貫通孔１１６の大きさよりも小さくなっているが、これに限らず、同じ大きさや、貫通孔１１８の大きさの方が貫通孔１１６の大きさよりも大きくなっていてもよい。また、貫通孔１１６、１１８の形状は、円形でなくてもよく、多角形状や楕円形状であってもよい。
【００５３】
また、中央部１０２Ｂには、Ｘ方向の上流側（図示の上側）の側壁１０７ＡからＸ方向に沿って外側へ（記録用紙Ｐ（図２参照）の搬送方向とは逆方向に）向けて、ロール支持部１０７Ｃが２箇所突出形成されている。２箇所のロール支持部１０７Ｃは、Ｙ方向に間隔をあけて設けられており、搬送ロール１０４の両端部を回転可能に支持するベアリング（図示省略）が嵌め込まれるように形成されている。この２箇所のロール支持部１０７Ｃによって、搬送ロール１０４が回転可能に支持されている。搬送ロール１０４は、金属製の芯金の外周にゴム製の弾性層を被覆した構成となっている。
【００５４】
さらに、中央部１０２Ｂには、Ｘ方向の下流側（図示の下側）の側壁１０７ＢからＸ方向に沿って外側へ（記録用紙Ｐ（図２参照）の搬送方向に）向けて、ロール支持部１０７Ｄが２箇所突出形成されている。２箇所のロール支持部１０７Ｄは、Ｙ方向に間隔をあけて設けられており、搬送ロール１０５の両端部を回転可能に支持するベアリング（図示省略）が嵌め込まれるように形成されている。この２箇所のロール支持部１０７Ｄによって、搬送ロール１０５が回転可能に支持されている。搬送ロール１０５は、金属製の芯金の外周にゴム製の弾性層を被覆した構成となっている。
【００５５】
ここで、搬送ロール１０４、１０５に搬送ベルト１０６（図２参照）が巻き掛けられた状態で、搬送ロール１０５がモータを含む駆動手段（図示省略）で回転駆動されることにより、搬送ベルト１０６が、中央部１０２Ｂの外側で周回移動するようになっている。なお、搬送ベルト１０６が中央部１０２Ｂのみに設けられているのは、記録用紙Ｐの搬送のＹ方向における基準位置を中央に設定しているためである。即ち、記録用紙Ｐの全てのサイズについて、Ｙ方向の中央は必ず用紙搬送路２２を通る部位であり、中央部１０２Ｂに搬送ベルト１０６を設けておけば、最小限の構成で記録用紙Ｐを搬送可能となる。
【００５６】
図２に示すように、搬送ベルト１０６は、無端状（筒状）に形成されたゴム製のベルト材で構成されており、Ｘ方向及びＹ方向に間隔をあけて複数の円形の貫通孔１０６Ａが形成されている。貫通孔１０６Ａは、搬送ベルト１０６をＺ方向に貫通しており、貫通孔１０６Ａの大きさは、ハウジング１０２の貫通孔１１８（図３（Ａ）参照）とほぼ同じ大きさとなっている。そして、Ｘ方向及びＹ方向において、複数の貫通孔１０６Ａの配置間隔と複数の貫通孔１１８の配置間隔とは同じ間隔となっている。これにより、搬送ベルト１０６が移動しているときに貫通孔１０６Ａと貫通孔１１８とが同軸上に配置され、吸引ユニット１１４の吸引動作によって記録用紙Ｐが搬送ベルト１０６に引き付けられるようになっている。なお、一例として、搬送ベルト１０６のＺ方向の上面と、リブ１２０のＺ方向の上面とは、同じ高さとなっている。
【００５７】
一方、電極材１０８は、一例として、矩形状の銅板で構成されており、導電性を有している。また、電極材１０８は、複数の円形の貫通孔１０８Ａが、Ｘ方向に間隔をあけて形成されている。貫通孔１０８Ａは、電極材１０８をＺ方向に貫通しており、ハウジング１０２の貫通孔１１６（図３（Ａ）参照）と孔の大きさが同じとなっている。そして、電極材１０８は、貫通孔１０８Ａがハウジング１０２の貫通孔１１６と同じ位置となるように（孔の周縁部が重なるように）、ハウジング１０２の上壁１０３上に接着により取り付けられている。これにより、貫通孔１１６及び貫通孔１０８Ａを介して、ハウジング１０２の回収部１０２Ｅ（図３（Ｂ）参照）とハウジング１０２の外部とが繋がり、空気の流通が可能となっている。
【００５８】
電圧印加部１１０は、配線１１１を介して複数の電極材１０８に接続されている。そして、電圧印加部１１０は、現像剤（トナー）の帯電極性であるマイナス極性とは逆のプラス極性の電圧を電極材１０８に印加するようになっている。印加する電圧の大きさは、使用するトナーが飛散せずに電極材１０８に引き付けられる程度の大きさであればよい。なお、電圧印加部１１０は、トナーの帯電極性がプラス極性の場合、マイナス極性の電圧を電極材１０８に印加する。
【００５９】
図３（Ｂ）に示すように、吸引ユニット１１４は、箱状のハウジング１１４Ａを有している。ハウジング１１４Ａは、内部がハウジング１０２のダクト部１０２Ｄと繋がっており、ダクト部１０２Ｄ側とは反対側の側壁１１４Ｂには、排気口１１４Ｃが形成されている。また、ハウジング１１４Ａの内部には、前述のファン１１２がＹ方向を軸方向として回転可能に設けられている。
【００６０】
ファン１１２は、モータを含む駆動手段（図示省略）が主制御部１８（図１参照）の制御により回転駆動されることで、回収部１０２Ｅ及びダクト部１０２Ｄから排気を行うようになっている。そして、吸引ユニット１１４は、ファン１１２の回転により、回収部１０２Ｅ内及びダクト部１０２Ｄ内を負圧とすることで、貫通孔１１６、貫通孔１１８（図３（Ａ）参照）、及び貫通孔１０８Ａを通して吸引動作を行うようになっている。
【００６１】
なお、図２に示すように、二次転写ロール５０と搬送ユニット１００との間には、Ｘ方向に沿って直立すると共にＹ方向に間隔をあけて並んだ複数のリブ１４２を有するガイド部材１４０が設けられているが、図２を除く他の図でのガイド部材１４０の図示を省略している。また、複数のリブ１４２の高さは、搬送ユニット１００のリブ１２０の高さよりも低くなっている。即ち、搬送ユニット１００における記録用紙Ｐの搬送状態は、ガイド部材１４０の配置に影響されないものとする。
【００６２】
次に、リブ１２０について説明する。
【００６３】
図４に示すように、複数（一例としてＹ方向に６箇所）のリブ１２０は、Ｘ方向を長手方向として上壁１０３上に板状に突出されている。また、複数のリブ１２０のＹ方向の配置位置は、Ｙ方向の幅が異なる複数（一例として３種類）の記録用紙Ｐ１、Ｐ２、Ｐ３の縁が、複数のリブ１２０のＸ方向の延長線ＬＡ、ＬＢ、ＬＣ、ＬＤ、ＬＥ、ＬＦ上に位置しない（ずれた）配置となっている。なお、一例として、記録用紙Ｐ１がＡ４サイズ、記録用紙Ｐ２がＢ４サイズ、記録用紙Ｐ３がＡ３サイズに対応している。
【００６４】
さらに詳述すると、図１０（Ａ）に示すように、複数のリブ１２０は、Ｙ方向の側面１２１の位置と、搬送される記録用紙Ｐの幅方向（Ｙ方向）の縁ＰＡの位置とが、Ｙ方向でずれている。一例として、Ｙ方向（画像形成装置１０（図１参照）の奥行き方向）で最も手前側にあるリブ１２０のＹ方向手前側の側面１２１の位置と、Ｙ方向の搬送ずれが無い場合の記録用紙Ｐ（記録用紙Ｐ３（図４参照）に相当）の縁ＰＡの位置とは、Ｙ方向で距離Δｄずれている。この距離Δｄは、記録用紙Ｐを搬送するときに許容されるＹ方向のずれ許容量よりも長くなるように予め設定されている。
【００６５】
また、図５（Ａ）、（Ｂ）に示すように、リブ１２０は、幅方向（Ｙ方向）の両端部（角部）がＣ面取りされて傾斜面１２２Ａ、１２２Ｃが形成されている。即ち、リブ１２０は、Ｙ方向の両端部の高さが、中央部となる上面１２２Ｂの高さよりも低くなっている。そして、傾斜面１２２Ａ、１２２Ｃは、一例として、Ｘ−Ｙ面に対する角度θａが０°よりも大きく６０°以下の範囲で設定されている。なお、傾斜面１２２Ａ、１２２Ｃは、湾曲面であってもよい。
【００６６】
さらに、図５（Ａ）及び図６（Ａ）に示すように、リブ１２０は、Ｘ方向の上流側の端部に、該上流側へ向けて高さが減少する切欠き部１２４が形成されている。切欠き部１２４は、一例として、Ｘ−Ｙ面に対する角度θｂが０°より大きく４５°より小さい傾斜面で構成されている。
【００６７】
なお、図６（Ｂ）に示すように、リブ１２０のＸ方向の上流側の端部において、切欠き部１２４（図６（Ａ）参照）に換えて、上流側へ向けて高さが減少する湾曲部１２６を形成してもよい。
【００６８】
（作用）
次に、第１実施形態の作用について説明する。
【００６９】
画像形成装置１０の画像形成工程について説明する。
【００７０】
図１に示すように、画像形成装置１０では、記録用紙Ｐに形成する画像のデータ（画像情報）を含む印刷データが主制御部１８へ入力されると、この印刷データが、主制御部１８において各色（Ｋ、Ｃ、Ｍ、Ｙ）の画像情報に分解され、露光装置３４Ｋ、３４Ｃ、３４Ｍ、３４Ｙに出力される。そして、各露光装置３４から、露光光Ｌが、各帯電ロール３３で帯電された各感光体３２の表面に照射される。このようにして、各感光体３２上には、対応する色の画像情報に応じた静電潜像が形成される。
【００７１】
続いて、各現像器３６によって各感光体３２上の静電潜像がトナーにより現像され、各感光体３２上にトナー像（トナー画像）が形成される。そして、各感光体３２上に形成されたトナー画像は、各一次転写ロール４２によって、中間転写ベルト４４の外周面に順次、一次転写される。なお、トナー画像の一次転写が終了した各感光体３２は、表面に付着した残留トナーなどの付着物がクリーニングユニット３８によって除去されると共に、感光体３２への光照射を行う除電器（図示省略）により残留電荷が除去される。
【００７２】
続いて、中間転写ベルト４４の外周面に順次、一次転写されて重ねられたトナー画像は、中間転写ベルト４４の移動によって二次転写ロール５０まで搬送される。そして、このトナー画像は、収納部２１から搬送されてきた記録用紙Ｐにバックアップロール４８及び二次転写ロール５０によって二次転写される。
【００７３】
ここで、上記のように画像形成工程が開始されると、図８に示すように、搬送ユニット１００において搬送ロール１０４、１０５が回転駆動され、搬送ベルト１０６が周回移動を開始する。また、図２及び図３（Ａ）、（Ｂ）に示すように、搬送ユニット１００においてファン１１２が駆動され、ハウジング１０２の複数の貫通孔１１６（貫通孔１０８Ａ）及び複数の貫通孔１１８から空気の吸引が行われる。そして、搬送ベルト１０６が設けられた部位では、搬送ベルト１０６の貫通孔１０６Ａから空気が吸引され、搬送されてきた記録用紙Ｐが吸引される。
【００７４】
続いて、図８に示すように、トナー画像ＴＡが二次転写された記録用紙Ｐが、二次転写ロール５０から搬送ユニット１００へ搬送されたとき、記録用紙Ｐの中央部は、搬送ベルト１０６側から吸引力を受ける。これにより、記録用紙Ｐの中央部は、裏面ＰＣが搬送ベルト１０６側に引き寄せられ、搬送ベルト１０６の周回移動によって搬送されていく。なお、裏面ＰＣは、トナー画像ＴＡが転写された記録用紙Ｐの転写面ＰＢとは反対側の面であり、未定着のトナー画像ＴＡを保持していない面である。
【００７５】
このとき、裏面ＰＣがリブ１２０と接触することにより、記録用紙Ｐがハウジング１０２の上壁１０３及び電極材１０８から遠ざけられるため、記録用紙Ｐの裏面ＰＣにトナーＴが付着することが抑制される。そして、記録用紙Ｐは、Ｘ方向の先端が定着ロール６２と加圧ロール６４とのニップ部（図１参照）に挟まれて搬送されることで、搬送ベルト１０６から剥離され、定着部６０（図１参照）に向けて搬送される。
【００７６】
続いて、図１に示すように、定着部６０において、記録用紙Ｐ上のトナー画像が記録用紙Ｐに定着される。そして、トナー画像が定着された記録用紙Ｐは、用紙排出路２４を通って筐体１２の上面に排出され、あるいは、反転前搬送路２６Ａ及び反転後搬送路２６Ｂを搬送されて表裏が反転され、裏面の画像形成及び定着が行われた後、用紙排出路２４を通って筐体１２の上面に排出される。
【００７７】
次に、搬送ユニット１００に設けられたリブ１２０の作用について、比較例と共に説明する。
【００７８】
図９（Ａ）に示すように、第１比較例として、上壁１０３上にリブ２０６が直立し、リブ２０６のＹ方向の側面２０６Ａ（外側の側面）の位置と、搬送される記録用紙ＰのＹ方向の縁ＰＡの位置とが、Ｙ方向で同じ位置となっている構成では、搬送途中で記録用紙ＰがＹ方向にずれたとき、図９（Ｂ）に示すように、記録用紙ＰのＹ方向の端部（縁ＰＡ側）がリブ２０６に引っ掛かって上壁１０３側へ落下する。これにより、上壁１０３上のトナーＴが落下した記録用紙Ｐの裏面に付着することがある。なお、リブ２０６が無い構成では、記録用紙Ｐが上壁１０３側へ落下するため、上壁１０３上のトナーＴが、落下した記録用紙Ｐの裏面に付着することになる。
【００７９】
一方、図１０（Ａ）に示すように、本実施形態では、リブ１２０のＹ方向の側面１２１の位置と、搬送される記録用紙ＰのＹ方向の縁ＰＡの位置とが、距離Δｄずれている。そして、距離Δｄは、記録用紙Ｐを搬送するときに許容されるＹ方向のずれ許容量よりも長くなっている。
【００８０】
これにより、図１０（Ｂ）に示すように、本実施形態では、搬送途中で記録用紙ＰがＹ方向（Ｙ方向手前側のずれを二点鎖線、奥側のずれを実線で図示する）にずれたとき、記録用紙ＰのＹ方向の端部（縁ＰＡ側）がリブ１２０上から落下しなくなる。これにより、第１比較例のリブ２０６（図９（Ａ）参照）に比べて、搬送中の記録用紙ＰのＹ方向の端部がリブ１２０に引っ掛かることが抑制される。そして、上壁１０３上のトナーＴが記録用紙Ｐの裏面に付着することが抑制される。
【００８１】
また、図１１（Ａ）に示すように、第２比較例として、上壁１０３上にＹ−Ｚ断面が矩形のリブ２００が直立している構成では、リブ２００の上面２０２が平面（Ｙ方向で高さが同じ）であるため、リブ２００に飛散したトナーＴが上面２０２上に溜まる。そして、搬送されてきた記録用紙Ｐの裏面にトナーＴが付着し、記録用紙Ｐの裏面が汚れることになる。
【００８２】
一方、図１１（Ｂ）に示すように、本実施形態では、リブ１２０に傾斜面１２２Ａ、１２２Ｃが形成されており、上面１２２ＢのＹ方向の幅が第２比較例のリブ２００（図１１（Ａ）参照）よりも狭くなっているため、リブ１２０に飛散したトナーＴは、傾斜面１２２Ａ、１２２Ｃから上壁１０３上に落下する。これにより、第２比較例のリブ２００に比べて、リブ１２０の上面１２２ＢにトナーＴが溜まることが抑制される。そして、搬送されてきた記録用紙Ｐの裏面にトナーＴが付着しにくくなる。
【００８３】
さらに、図１２（Ａ）に示すように、第３比較例として、上壁１０３上にＸ方向で高さが同じリブ２０４が直立している構成では、搬送されてきた記録用紙Ｐの先端が下方側へ自重で撓んでいるとき、この先端が、リブ２０４のＸ方向上流側の角部２０４Ａと接触して引っ掛かってしまい、記録用紙ＰをＸ方向下流側へ搬送できなくなる場合がある。
【００８４】
一方、図１２（Ｂ）に示すように、本実施形態では、リブ１２０に切欠き部１２４が形成されており、Ｘ方向の上流側ほどリブ１２０の高さが低くなっているので、搬送されてきた記録用紙Ｐの先端が下方側へ自重で撓んでいても、この先端が切欠き部１２４上に配置されて下流側へ案内される。これにより、第３比較例のリブ２０４（図１２（Ａ）参照）に比べて、搬送中の記録用紙Ｐの先端がリブ１２０に引っ掛かることが抑制される。
【００８５】
次に、画像形成装置１０の縁無し印刷モードについて説明する。
【００８６】
図１に示す画像形成装置１０において、縁無し印刷モードが選択された場合、各感光体３２には、記録用紙Ｐの面積よりも大きい面積の画像が形成される。そして、図７に示すように、中間転写ベルト４４上には、記録用紙Ｐ全面となる画像領域Ｓ１（破線で示す矩形の外形線ＬＧよりも内側の網掛け領域）よりも大きい画像領域Ｓ２（実線で示す矩形の外形線ＬＨよりも内側の網掛け領域）のトナー画像が形成される。このため、二次転写ロール５０により記録用紙Ｐにトナー画像が二次転写されたとき、外形線ＬＧよりも外側で且つ外形線ＬＨよりも内側の画像領域Ｓ３に相当するトナー画像が中間転写ベルト４４上に残留する。そして、中間転写ベルト４４上に残留したトナー画像は、ベルトクリーナ４３（図１参照）によりクリーニングされる。
【００８７】
一方、二次転写ロール５０に記録用紙Ｐの先端が到達したとき、二次転写ロール５０には、既に画像領域Ｓ３のＸ方向上流側のトナー画像が付着する。この二次転写ロール５０に付着する余分なトナー画像は、クリーニング手段（図示省略）により取り除かれるものの、一部がトナークラウドＴＣとなって、搬送ユニット１００側へ飛散することになる。
【００８８】
次に、搬送ユニット１００におけるトナーＴの回収について説明する。
【００８９】
図３（Ａ）、（Ｂ）に示すように、吸引ユニット１１４のファン１１２が回転すると、回収部１０２Ｅ及びダクト部１０２Ｄは排気されて負圧状態となり、貫通孔１１６（貫通孔１０８Ａ）及び貫通孔１１８を通して搬送ユニット１００の吸引（吸気）動作が行われる。さらに、図２に示すように、電極材１０８には、電圧印加部１１０によって、トナーの極性とは逆極性の電圧が印加される。
【００９０】
ここで、図１３（Ａ）、（Ｂ）に示すように、搬送ユニット１００側へ飛散して複数のリブ１２０の間に浮遊しているトナーＴは、静電引力により電極材１０８に引き付けられると共に、吸引力によって貫通孔１０８Ａ及び貫通孔１１６を通って回収部１０２Ｅ内へ回収される。これにより、ハウジング１０２の上壁１０３及び電極材１０８へのトナーＴの堆積が抑制される。そして、搬送中の記録用紙Ｐがリブ１２０上を通過したとき、記録用紙Ｐの裏面ＰＣにトナーＴが付着することが抑制される。
【００９１】
（第２実施形態）
次に、本発明の第２実施形態に係る画像形成装置の一例について説明する。なお、前述した第１実施形態の画像形成装置１０と基本的に同一の材料、部材については、前記第１実施形態と同一の符号を付与してその説明を省略する。
【００９２】
図１４（Ａ）、（Ｂ）には、第２実施形態の搬送手段の一例としての搬送ユニット１３０が示されている。搬送ユニット１３０は、第１実施形態の搬送ユニット１００（図２参照）において、リブ１２０がＸ方向に対して角度θｃ傾斜した配置となっている。なお、図１４（Ａ）、（Ｂ）では、リブ１２０を矩形で示しており、傾斜面１２２Ａ、１２２Ｃ、及び切欠き部１２４（図５（Ａ）、（Ｂ）参照）の図示を省略している。
【００９３】
図１４（Ａ）に示すように、搬送ユニット１３０は、本体となる中空のハウジング１３２と、ハウジング１３２のＹ方向中央部で回転可能に設けられた搬送ロール１０４、１０５と、搬送ロール１０４、１０５に巻き掛けられた搬送ベルト１０６と、ハウジング１３２の上壁１３２Ａに直立（突出）して且つＸ方向に傾斜して設けられた複数のリブ１２０と、複数のリブ１２０の間の上壁１３２Ａに取り付けられた導電部材の一例としての複数の電極材１３４と、電極材１３４に電圧を印加する電圧印加部１１０（図２参照）と、ハウジング１３２内の空気を排気する動作（吸引動作）を行う吸引ユニット１１４と、を含んで構成されている。なお、図１４（Ａ）では電圧印加部１１０の図示を省略している。
【００９４】
図１４（Ｂ）に示すように、各リブ１２０は、Ｘ方向に対して、該Ｘ方向の下流側がＹ方向で搬送ベルト１０６（図１４（Ａ）参照）から離れるように角度θｃで傾斜配置されている。即ち、リブ１２０の長手方向は、記録用紙Ｐの搬送方向であるＸ方向と交差している。また、各リブ１２０は、一例として、隣のリブ１２０との間隔がＷ１で揃えられている。さらに、隣り合う１組のリブ１２０において、一方のリブ１２０のＸ方向上流側の先端１２０Ａと、他方のリブ１２０のＸ方向下流側の後端１２０Ｂとは、Ｘ方向で同一直線上に配置されている。
【００９５】
一方、図１４（Ａ）に示すように、電極材１３４は、平行四辺形状に形成された銅板であり、Ｚ方向に貫通した複数の貫通孔１３４Ａが形成されている。複数の貫通孔１３４Ａは、ハウジング１３２に形成された複数の貫通孔（図示省略）と繋がっており、吸引ユニット１１４の動作によりハウジング１３２内が負圧状態となることで、吸引動作（吸気動作）を行うようになっている。
【００９６】
（作用）
次に、第２実施形態の作用について説明する。
【００９７】
図１４（Ｂ）に示すように、搬送ユニット１３０に二次転写後の記録用紙Ｐが搬送されてきたとき、記録用紙Ｐの裏面と複数のリブ１２０の上面とが接触する。ここで、複数のリブ１２０が傾斜配置されてＹ方向全体をカバーしている。このため、記録用紙ＰがＸ方向下流側へ搬送される間にＹ方向にずれることがあっても、記録用紙ＰのＹ方向の端部は、リブ１２０で支持され、上壁１３２Ａ側へ落下することが抑制される。これにより、記録用紙Ｐの裏面にトナーが付着することが抑制される。
【００９８】
なお、記録用紙Ｐが搬送ユニット１３０で搬送されている間、記録用紙Ｐにおけるリブ１２０の上面と接触した部位は、摩擦帯電によって帯電することになる。しかし、図１４（Ａ）、（Ｂ）に示すように、搬送ユニット１３０では、リブ１２０がＸ方向で重なっていない。このため、リブ１２０と１回接触した記録用紙Ｐの部位は、Ｘ方向への搬送中にリブ１２０と再び接触することが無い。
【００９９】
これにより、図１５に示すように、記録用紙Ｐにおけるリブ１２０（破線で図示）と接触した部位ＳＢ（図示の網掛け部）の電位と、リブ１２０と接触しない部位ＳＡ（図示の白抜き部）の電位との電位差が大きくなることが抑制される。そして、二次転写されたトナーの一部が元の位置から他の位置へ離散することが抑制され、画像乱れが抑制される。
【０１００】
なお、本発明は上記の実施形態に限定されない。
【０１０１】
図２に示す電極材１０８及び電圧印加部１１０を設けた搬送ユニット１００に換えて、図１６に示すように、接地部材１５２を設けた搬送ユニット１５０を用いてもよい。接地部材１５２は、一例として、導電性を有する銅板で構成され、ハウジング１０２の上壁１０３に取り付けられている。これにより、上壁１０３を接地していない構成に比べて、上壁１０３が帯電しにくくなるため、上壁１０３へのトナーの固着が抑制される。さらに、接地部材１５２を第２実施形態の電極材１３４のように平行四辺形状とし、リブ１２０をＸ方向と交差する方向に傾斜配置させてもよい。
【０１０２】
また、参考例として、搬送路の壁部は、搬送ユニット１００の上壁１０３に限らず、用紙搬送路２２上で搬送ユニット１００とは異なる位置（搬送ユニット１００よりも上流側又は下流側の位置）に設けられた壁部材（搬送路の壁を構成する部材）であってもよい。
【０１０３】
さらに、導電部材は、電極材１０８や電極材１３４のように矩形状や平行四辺形状に限らず、円形状や多角形状であってもよい。また、導電部材は、銅板に限らず、ステンレス鋼（ＳＵＳ）やアルミニウムなど、他の金属を用いてもよい。
【０１０４】
加えて、吸引手段は、ファン１１２に限らず、ポンプで吸引する構成であってもよい。
【０１０５】
また、リブ１２０の傾斜面１２２Ａ、１２２Ｃは、円弧面で構成されていてもよい。
【０１０６】
さらに、搬送ユニット１００、１３０は、電圧印加部１１０及び吸引ユニット１１４を用いずに、トナーＴが貫通孔１１６から自重で回収部１０２Ｅ内へ落下する構成としてもよい。また、搬送ユニット１００、１３０は、電圧印加部１１０と吸引ユニット１１４のいずれか一方のみを設けた構成であってもよい。
【符号の説明】
【０１０７】
１０  画像形成装置
２０  画像形成部（現像剤像形成手段の一例）
２２  用紙搬送路（搬送路の一例）
５０  二次転写ロール（転写部材の一例）
６０  定着部（定着手段の一例）
１００  搬送ユニット（搬送手段の一例）
１０２Ｅ  回収部
１０３  上壁（壁部の一例）
１０８  電極材（導電部材の一例）
１１０  電圧印加部（電圧印加手段の一例）
１１４  吸引ユニット（吸引手段の一例）
１１６  貫通孔
１２０  リブ（接触部の一例）
１２４  切欠き部
１２６  湾曲部
１３０  搬送ユニット（搬送手段の一例）
１３４  電極材（導電部材の一例）
１５０  搬送ユニット（搬送手段の一例）
１５２  接地部材
【図１】
0005994225.tif 000002
【図２】
0005994225.tif 000003
【図３】
0005994225.tif 000004
【図４】
0005994225.tif 000005
【図５】
0005994225.tif 000006
【図６】
0005994225.tif 000007
【図７】
0005994225.tif 000008
【図８】
0005994225.tif 000009
【図９】
0005994225.tif 000010
【図１０】
0005994225.tif 000011
【図１１】
0005994225.tif 000012
【図１２】
0005994225.tif 000013
【図１３】
0005994225.tif 000014
【図１４】
0005994225.tif 000015
【図１５】
0005994225.tif 000016
【図１６】
0005994225.tif 000017